(57)【要約】  映像信号処理装置（１０）において、映像入力端子（１０１）にはカップリングコンデンサ（２００）を介して映像信号が与えられる。クランプ回路（１０４）は、映像入力端子（１０１）を介して入力された映像信号をクランプする。フォーマット検知部（１０５）は、映像信号のフォーマットを検知する。制御部（１０７）は、フォーマット検知部（１０５）の検知結果に応じてクランプ回路（１０４）の給電能力を切り替える。
2009037811.tif 000002
【特許請求の範囲】
【請求項１】
映像信号が与えられるカップリングコンデンサに接続される映像入力端子と、
前記映像入力端子を介して入力された映像信号をクランプするクランプ回路と、
前記映像信号のフォーマットを検知するフォーマット検知部と、
前記フォーマット検知部の検知結果に応じて前記クランプ回路の給電能力を切り替える制御部とを備えた
ことを特徴とする映像信号処理装置。
【請求項２】
請求項１に記載の映像信号処理装置において、
前記映像入力端子を介して入力された映像信号のＡ／Ｄ変換を行うＡ／Ｄ変換器と、
前記Ａ／Ｄ変換器の出力値と基準値とを比較するレベル比較器とを備え、
前記制御部は、前記レベル比較器の比較結果に応じて前記クランプ回路による給電の有無を制御する
ことを特徴とする映像信号処理装置。
【請求項３】
請求項１に記載の映像信号処理装置において、
前記映像入力端子を介して入力された映像信号を増幅する可変ゲイン増幅器と、
前記増幅された映像信号と基準値とを比較するレベル比較器とを備え、
前記制御部は、前記レベル比較器の比較結果に応じて前記クランプ回路による給電の有無を制御する
ことを特徴とする映像信号処理装置。
【請求項４】
請求項２及び３のいずれか一つに記載の映像信号処理装置において、
前記クランプ回路は、
可変電流源と、
前記可変電流源と前記映像入力端子との電気的接続の有無を切り替えるスイッチとを有するものであり、
前記制御部は、前記レベル比較器の比較結果に応じて前記スイッチのスイッチング制御をするとともに、前記フォーマット検知部の検知結果によって示された前記映像信号のフォーマットに応じて前記可変電流源の電流量を切り替える
ことを特徴とする映像信号処理装置。
【請求項５】
請求項２及び３のいずれか一つに記載の映像信号処理装置において、
前記制御部は、さらに前記レベル比較器の比較結果に応じて前記クランプ回路の給電能力を切り替える
ことを特徴とする映像信号処理装置。
【請求項６】
請求項５に記載の映像信号処理装置において、
前記クランプ回路は、
複数の可変電流源と、
前記複数の可変電流源のそれぞれと前記映像入力端子との電気的接続の有無を切り替える複数のスイッチとを有するものであり、
前記制御部は、前記レベル比較器の比較結果によって示された前記基準値からの誤差に応じて前記複数のスイッチのスイッチング制御をするとともに、前記フォーマット検知部の検知結果によって示された前記映像信号のフォーマットに応じて前記複数の可変電流源の電流量を切り替える
ことを特徴とする映像信号処理装置。
【請求項７】
請求項６に記載の映像信号処理装置において、
前記複数の可変電流源は、互いに異なる大きさの電流を供給する
ことを特徴とする映像信号処理装置。
【発明の詳細な説明】
【技術分野】
【０００１】
本発明は、映像信号処理装置に関し、特に、映像信号のクランプ技術に関する。
【背景技術】
【０００２】
コンポジット信号、Ｙ／Ｃ信号などの外部アナログ映像信号を映像信号処理装置で処理する場合、映像信号処理装置にはカップリングコンデンサでＡＣ結合した映像信号を入力する必要がある。ＡＣ結合によって、映像信号処理装置に入力される映像信号のＤＣレベルと原信号のＤＣレベルとにずれが生じる。このずれを補正するために、映像信号の水平ブランキング期間においてシンクチップクランプ又はペデスタルクランプを行うのが一般的である。【０００３】
映像信号のクランプは電源電圧の変動などにより影響を受けるという欠点があるところ、クランプされた映像信号のペデスタルレベルと基準レベルとの誤差に基づいてクランプ動作に係る電流量をフィードバック制御することで高精度なクランプを実現しているものがある（例えば、特許文献１参照）。
【特許文献１】特開２０００−２７８１３２号公報
【発明の開示】
【発明が解決しようとする課題】
【０００４】
映像信号のフォーマットにはさまざまなものが存在し、高画質になるほど水平同期周波数は高くなる。例えば、現在のアナログ放送で主流の４８０ｉ（５２５ｉ）の水平同期周波数は１５．７５ｋＨｚであるが、いわゆるフルスペックハイビジョン信号である１０８０ｐともなると、水平同期周波数は４８０ｉの４倍以上の６７．５ｋＨｚとなる。【０００５】
水平同期周波数が高くなるに連れ水平ブランキング期間は短くなる。このため、クランプによって十分な量の電荷をカップリングコンデンサに充電できなくなる。すなわち、クランプのフィードバック系が映像信号に追従できなくなる。この結果、映像信号のペデスタルレベルが安定化せず、表示ムラなどが発生するおそれがある。【０００６】
上記問題に鑑み、本発明は、高速映像信号を精度よくクランプすることを課題とする。
【課題を解決するための手段】
【０００７】
上記問題を解決するために本発明が講じた手段は、映像信号処理装置として、映像信号が与えられるカップリングコンデンサに接続される映像入力端子と、映像入力端子を介して入力された映像信号をクランプするクランプ回路と、映像信号のフォーマットを検知するフォーマット検知部と、フォーマット検知部の検知結果に応じてクランプ回路の給電能力を切り替える制御部とを備えたものとする。この構成によると、映像信号のフォーマットに応じてクランプ回路の給電能力が切り替えられる。したがって、高速映像信号の場合、クランプ回路の給電能力を大きくすることによって短時間でカップリングコンデンサを所望の電圧にまで充放電することができる。これにより、高速映像信号に追従した高精度のクランプが可能となる。【０００８】
具体的には、上記映像信号処理装置は、映像入力端子を介して入力された映像信号のＡ／Ｄ変換を行うＡ／Ｄ変換器と、Ａ／Ｄ変換器の出力値と基準値とを比較するレベル比較器とを備えている、あるいは、映像入力端子を介して入力された映像信号を増幅する可変ゲイン増幅器と、増幅された映像信号と基準値とを比較するレベル比較器とを備えている。そして、制御部は、レベル比較器の比較結果に応じてクランプ回路による給電の有無を制御する。【０００９】
また、具体的には、クランプ回路は、可変電流源と、可変電流源と映像入力端子との電気的接続の有無を切り替えるスイッチとを有する。また、制御部は、レベル比較器の比較結果に応じてスイッチのスイッチング制御をするとともに、フォーマット検知部の検知結果によって示された映像信号のフォーマットに応じて可変電流源の電流量を切り替える。【００１０】
好ましくは、制御部は、さらにレベル比較器の比較結果に応じてクランプ回路の給電量力を切り替えるものとする。これによると、電源電圧の変動などによるクランプレベルの変動を微調整することができ、映像信号のクランプ精度を高めることができる。【００１１】
具体的には、クランプ回路は、複数の可変電流源と、複数の可変電流源のそれぞれと映像入力端子との電気的接続の有無を切り替える複数のスイッチとを有する。また、制御部は、レベル比較器の比較結果によって示された基準値からの誤差に応じて複数のスイッチのスイッチング制御をするとともに、フォーマット検知部の検知結果によって示された映像信号のフォーマットに応じて複数の可変電流源の電流量を切り替える。【００１２】
好ましくは、複数の可変電流源は、互いに異なる大きさの電流を供給するものとする。これによると、より細かな給電制御が可能となる。
【発明の効果】
【００１３】
以上説明したように本発明によると、高速映像信号を精度よくクランプすることができる。
【図面の簡単な説明】
【００１４】
【図１】図１は、本発明の第１の実施形態に係る映像信号処理装置の構成図である。
【図２】図２は、クランプ回路の回路構成図である。
【図３】図３は、本発明の第２の実施形態に係る映像信号処理装置の構成図である。
【符号の説明】
【００１５】
１０      映像信号処理装置
１０１    映像入力端子
１０２    Ａ／Ｄ変換器
１０４    クランプ回路
１０４１  可変電流源
１０４２  スイッチ
１０５    フォーマット検知部
１０６    レベル比較器
１０７    制御部
１０８    可変ゲイン増幅器
【発明を実施するための最良の形態】
【００１６】
以下、本発明を実施するための最良の形態について、図面を参照しながら説明する。【００１７】
（第１の実施形態）
図１は、第１の実施形態に係る映像信号処理装置の構成を示す。本装置１０は、１個の半導体チップとして実施可能なものである。本装置１０における映像入力端子１０１には、カップリングコンデンサ２００を介して映像信号が入力される。Ａ／Ｄ変換器（ＡＤＣ）１０２は、映像入力端子１０１を介して入力された映像信号のＡ／Ｄ変換を行う。処理部１０３は、デジタル値に変換された映像信号に対して各種処理を施す。【００１８】
映像入力端子１０１にはクランプ回路１０４が接続されている。クランプ回路１０４から電流が供給されることによってカップリングコンデンサ２００が充放電される。そして、このカップリングコンデンサ２００の電圧を調整することによって、本装置１０に入力される映像信号がＡ／Ｄ変換器１０２のダイナミックレンジに収まるようにクランプされる。【００１９】
図２は、クランプ回路１０４の回路構成図を示す。クランプ回路１０４は、複数の可変電流源１０４１、及び複数の可変電流源１０４１のそれぞれと映像入力端子１０１との電気的接続の有無を切り替える複数のスイッチ１０４２を備えている。特に、クランプ回路１０４は、映像入力端子１０１のソース側及びシンク側のいずれにも可変電流源１０４１を備えており、映像入力端子１０１を介してカップリングコンデンサ２００の充放電が可能となっている。各可変電流源１０４１の供給電流は、同じ大きさでも、互いに異なる大きさでもよい。前者の場合、ソース側又はシンク側の可変電流源１０４１の個数に相当する段階の給電制御が可能であるのに対して、後者の場合、それよりも多い最大で２ｎ段階（ただし、ｎはソース側又はシンク側の可変電流源１０４１の個数）の給電制御が可能である。【００２０】
図１に戻り、フォーマット検知部１０５は、本装置１０に入力された映像信号のフォーマットを検知する。具体的には、映像信号に含まれる水平同期信号を検出してその周波数を算出し、当該算出した周波数に基づいて映像信号のフォーマットを検知する。例えば、水平同期周波数が１５．７５ｋＨｚであれば４８０ｉ（５２５ｉ）、３１．５ｋＨｚであれば４８０ｐ（５２５ｐ）、３３．７ｋＨｚであれば１０８０ｉ（１１２５ｉ）、４５ｋＨｚであれば７２０ｐ（７５０ｐ）、６７．５ｋＨｚであれば１０８０ｐ（１１２５ｐ）であると特定できる。【００２１】
レベル比較器１０６は、Ａ／Ｄ変換器１０２の出力値と基準値とを比較する。基準値としてペデスタルレベルに相当する値又はシンクチップレベルに相当する値を入力する。前者の場合、クランプ回路１０４は、ペデスタルクランプとして動作し、後者の場合、シンクチップクランプとして動作する。【００２２】
制御部１０７は、フォーマット検知部１０５及びレベル比較器１０６の出力に従ってクランプ回路１０４を制御する。当該制御は、与えられた水平同期信号（Ｈパルス）に基づいて映像信号の水平ブランキング期間ごとに行う。【００２３】
具体的には、制御部１０７は、レベル比較器１０６の比較結果によって示されたＡ／Ｄ変換器１０２の出力値と基準値との誤差に応じてクランプ回路１０４における各スイッチ１０４２（図２参照）のスイッチング制御をする。当該誤差が大きい場合には、制御部１０７は、より多くのスイッチ１０４２を導通状態にするか又はより大きな電流を供給する可変電流源１０４１に接続されたスイッチ１０４２を導通状態にする。これにより、電源電圧の変動などによるクランプレベルの変動を微調整して、映像信号を精度よくクランプすることができる。【００２４】
また、制御部１０７は、フォーマット検知部１０５の検知結果によって示された映像信号のフォーマットに応じてクランプ回路１０４における各可変電流源１０４１（図２参照）の電流量を切り替える。具体的には、より高い水平同期周波数のフォーマットのときほど、各可変電流源１０４１の電流量を大きくする。これにより、限られた期間（水平ブランキング期間）内で大電流によってカップリングコンデンサ２００が充放電されるため、１０８０ｐなどの高速映像信号に追従したクランプが可能となる。【００２５】
以上、本実施形態によると、フルスペックハイビジョン信号などの高速映像信号を精度よくクランプすることができる。これにより、高速映像信号に対して良好な処理結果を得ることができる。【００２６】
（第２の実施形態）
図３は、第２の実施形態に係る映像信号処理装置の構成を示す。本装置１０は、第１の実施形態に係る映像信号処理装置１０におけるＡ／Ｄ変換器１０２の前段に可変ゲイン増幅器（ＶＧＡ）１０８を追加した構成となっている。可変ゲイン増幅器１０８は、Ａ／Ｄ変換器１０２に入力される映像信号が所定のダイナミックレンジに収まるようにゲイン調整をする。そして、レベル比較器１０６は、可変ゲイン増幅器１０８によって増幅された映像信号と基準値とを比較する。本装置１０もまた１個の半導体チップとして実施可能なものである。以上の本実施形態によっても、高速映像信号を精度よくクランプすることができる。【００２７】
なお、第１及び第２の実施形態のいずれにおいても、クランプレベルの変動の微調整が不要の場合には、クランプ回路１０４を、１個の可変電流源１０４１及びスイッチ１０４２で構成してもよい。これにより、より小さな回路規模で、高速映像信号に追従可能なクランプを実現することができる。
【産業上の利用可能性】
【００２８】
本発明に係る映像信号処理装置は、高速映像信号を精度よくクランプすることができるため、フルスペックハイビジョン信号を取り扱うテレビジョン受像機や光ディスクレコーダなどに有用である。
【図１】
2009037811.tif 000003
【図２】
2009037811.tif 000004
【図３】
2009037811.tif 000005
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
映像信号が与えられるカップリングコンデンサに接続される映像入力端子と、
前記映像入力端子を介して入力された映像信号をクランプするクランプ回路と、
前記映像信号のフォーマットを検知するフォーマット検知部と、
前記フォーマット検知部の検知結果に応じて前記クランプ回路の給電能力を切り替える制御部とを備えた
ことを特徴とする映像信号処理装置。
【請求項２】
請求項１に記載の映像信号処理装置において、
前記映像入力端子を介して入力された映像信号のＡ／Ｄ変換を行うＡ／Ｄ変換器と、
前記Ａ／Ｄ変換器の出力値と基準値とを比較するレベル比較器とを備え、
前記制御部は、前記レベル比較器の比較結果に応じて前記クランプ回路による給電の有無を制御する
ことを特徴とする映像信号処理装置。
【請求項３】
請求項１に記載の映像信号処理装置において、
前記映像入力端子を介して入力された映像信号を増幅する可変ゲイン増幅器と、
前記増幅された映像信号と基準値とを比較するレベル比較器とを備え、
前記制御部は、前記レベル比較器の比較結果に応じて前記クランプ回路による給電の有無を制御する
ことを特徴とする映像信号処理装置。
【請求項４】
請求項２及び３のいずれか一つに記載の映像信号処理装置において、
前記クランプ回路は、
可変電流源と、
前記可変電流源と前記映像入力端子との電気的接続の有無を切り替えるスイッチとを有するものであり、
前記制御部は、前記レベル比較器の比較結果に応じて前記スイッチのスイッチング制御をするとともに、前記フォーマット検知部の検知結果によって示された前記映像信号のフォーマットに応じて前記可変電流源の電流量を切り替える
ことを特徴とする映像信号処理装置。
【請求項５】
請求項２及び３のいずれか一つに記載の映像信号処理装置において、
前記制御部は、さらに前記レベル比較器の比較結果に応じて前記クランプ回路の給電能力を切り替える
ことを特徴とする映像信号処理装置。
【請求項６】
請求項５に記載の映像信号処理装置において、
前記クランプ回路は、
複数の可変電流源と、
前記複数の可変電流源のそれぞれと前記映像入力端子との電気的接続の有無を切り替える複数のスイッチとを有するものであり、
前記制御部は、前記レベル比較器の比較結果によって示された前記基準値からの誤差に応じて前記複数のスイッチのスイッチング制御をするとともに、前記フォーマット検知部の検知結果によって示された前記映像信号のフォーマットに応じて前記複数の可変電流源の電流量を切り替える
ことを特徴とする映像信号処理装置。
【請求項７】
請求項６に記載の映像信号処理装置において、
前記複数の可変電流源は、互いに異なる大きさの電流を供給する
ことを特徴とする映像信号処理装置。
【手続補正２】
【補正対象書類名】明細書
【補正対象項目名】全文
【補正方法】変更
【補正の内容】
【発明の詳細な説明】
【技術分野】
【０００１】
本発明は、映像信号処理装置に関し、特に、映像信号のクランプ技術に関する。
【背景技術】
【０００２】
コンポジット信号、Ｙ／Ｃ信号などの外部アナログ映像信号を映像信号処理装置で処理する場合、映像信号処理装置にはカップリングコンデンサでＡＣ結合した映像信号を入力する必要がある。ＡＣ結合によって、映像信号処理装置に入力される映像信号のＤＣレベルと原信号のＤＣレベルとにずれが生じる。このずれを補正するために、映像信号の水平ブランキング期間においてシンクチップクランプ又はペデスタルクランプを行うのが一般的である。
【０００３】
映像信号のクランプは電源電圧の変動などにより影響を受けるという欠点があるところ、クランプされた映像信号のペデスタルレベルと基準レベルとの誤差に基づいてクランプ動作に係る電流量をフィードバック制御することで高精度なクランプを実現しているものがある（例えば、特許文献１参照）。
【先行技術文献】
【特許文献】
【０００４】
【特許文献１】特開２０００−２７８１３２号公報
【発明の概要】
【発明が解決しようとする課題】
【０００５】
映像信号のフォーマットにはさまざまなものが存在し、高画質になるほど水平同期周波数は高くなる。例えば、現在のアナログ放送で主流の４８０ｉ（５２５ｉ）の水平同期周波数は１５．７５ｋＨｚであるが、いわゆるフルスペックハイビジョン信号である１０８０ｐともなると、水平同期周波数は４８０ｉの４倍以上の６７．５ｋＨｚとなる。
【０００６】
水平同期周波数が高くなるに連れ水平ブランキング期間は短くなる。このため、クランプによって十分な量の電荷をカップリングコンデンサに充電できなくなる。すなわち、クランプのフィードバック系が映像信号に追従できなくなる。この結果、映像信号のペデスタルレベルが安定化せず、表示ムラなどが発生するおそれがある。
【０００７】
上記問題に鑑み、本発明は、高速映像信号を精度よくクランプすることを課題とする。
【課題を解決するための手段】
【０００８】
上記問題を解決するために本発明が講じた手段は、映像信号処理装置として、映像信号が与えられるカップリングコンデンサに接続される映像入力端子と、映像入力端子を介して入力された映像信号をクランプするクランプ回路と、映像信号のフォーマットを検知するフォーマット検知部と、フォーマット検知部の検知結果に応じてクランプ回路の給電能力を切り替える制御部とを備えたものとする。この構成によると、映像信号のフォーマットに応じてクランプ回路の給電能力が切り替えられる。したがって、高速映像信号の場合、クランプ回路の給電能力を大きくすることによって短時間でカップリングコンデンサを所望の電圧にまで充放電することができる。これにより、高速映像信号に追従した高精度のクランプが可能となる。
【０００９】
具体的には、上記映像信号処理装置は、映像入力端子を介して入力された映像信号のＡ／Ｄ変換を行うＡ／Ｄ変換器と、Ａ／Ｄ変換器の出力値と基準値とを比較するレベル比較器とを備えている、あるいは、映像入力端子を介して入力された映像信号を増幅する可変ゲイン増幅器と、増幅された映像信号と基準値とを比較するレベル比較器とを備えている。そして、制御部は、レベル比較器の比較結果に応じてクランプ回路による給電の有無を制御する。
【００１０】
また、具体的には、クランプ回路は、可変電流源と、可変電流源と映像入力端子との電気的接続の有無を切り替えるスイッチとを有する。また、制御部は、レベル比較器の比較結果に応じてスイッチのスイッチング制御をするとともに、フォーマット検知部の検知結果によって示された映像信号のフォーマットに応じて可変電流源の電流量を切り替える。
【００１１】
好ましくは、制御部は、さらにレベル比較器の比較結果に応じてクランプ回路の給電能力を切り替えるものとする。これによると、電源電圧の変動などによるクランプレベルの変動を微調整することができ、映像信号のクランプ精度を高めることができる。
【００１２】
具体的には、クランプ回路は、複数の可変電流源と、複数の可変電流源のそれぞれと映像入力端子との電気的接続の有無を切り替える複数のスイッチとを有する。また、制御部は、レベル比較器の比較結果によって示された基準値からの誤差に応じて複数のスイッチのスイッチング制御をするとともに、フォーマット検知部の検知結果によって示された映像信号のフォーマットに応じて複数の可変電流源の電流量を切り替える。
【００１３】
好ましくは、複数の可変電流源は、互いに異なる大きさの電流を供給するものとする。これによると、より細かな給電制御が可能となる。
【発明の効果】
【００１４】
以上説明したように本発明によると、高速映像信号を精度よくクランプすることができる。
【図面の簡単な説明】
【００１５】
【図１】図１は、本発明の第１の実施形態に係る映像信号処理装置の構成図である。
【図２】図２は、クランプ回路の回路構成図である。
【図３】図３は、本発明の第２の実施形態に係る映像信号処理装置の構成図である。
【発明を実施するための形態】
【００１６】
以下、本発明を実施するための最良の形態について、図面を参照しながら説明する。
【００１７】
（第１の実施形態）
図１は、第１の実施形態に係る映像信号処理装置の構成を示す。本装置１０は、１個の半導体チップとして実施可能なものである。本装置１０における映像入力端子１０１には、カップリングコンデンサ２００を介して映像信号が入力される。Ａ／Ｄ変換器（ＡＤＣ）１０２は、映像入力端子１０１を介して入力された映像信号のＡ／Ｄ変換を行う。処理部１０３は、デジタル値に変換された映像信号に対して各種処理を施す。
【００１８】
映像入力端子１０１にはクランプ回路１０４が接続されている。クランプ回路１０４から電流が供給されることによってカップリングコンデンサ２００が充放電される。そして、このカップリングコンデンサ２００の電圧を調整することによって、本装置１０に入力される映像信号がＡ／Ｄ変換器１０２のダイナミックレンジに収まるようにクランプされる。
【００１９】
図２は、クランプ回路１０４の回路構成図を示す。クランプ回路１０４は、複数の可変電流源１０４１、及び複数の可変電流源１０４１のそれぞれと映像入力端子１０１との電気的接続の有無を切り替える複数のスイッチ１０４２を備えている。特に、クランプ回路１０４は、映像入力端子１０１のソース側及びシンク側のいずれにも可変電流源１０４１を備えており、映像入力端子１０１を介してカップリングコンデンサ２００の充放電が可能となっている。各可変電流源１０４１の供給電流は、同じ大きさでも、互いに異なる大きさでもよい。前者の場合、ソース側又はシンク側の可変電流源１０４１の個数に相当する段階の給電制御が可能であるのに対して、後者の場合、それよりも多い最大で２ｎ段階（ただし、ｎはソース側又はシンク側の可変電流源１０４１の個数）の給電制御が可能である。
【００２０】
図１に戻り、フォーマット検知部１０５は、本装置１０に入力された映像信号のフォーマットを検知する。具体的には、映像信号に含まれる水平同期信号を検出してその周波数を算出し、当該算出した周波数に基づいて映像信号のフォーマットを検知する。例えば、水平同期周波数が１５．７５ｋＨｚであれば４８０ｉ（５２５ｉ）、３１．５ｋＨｚであれば４８０ｐ（５２５ｐ）、３３．７ｋＨｚであれば１０８０ｉ（１１２５ｉ）、４５ｋＨｚであれば７２０ｐ（７５０ｐ）、６７．５ｋＨｚであれば１０８０ｐ（１１２５ｐ）であると特定できる。
【００２１】
レベル比較器１０６は、Ａ／Ｄ変換器１０２の出力値と基準値とを比較する。基準値としてペデスタルレベルに相当する値又はシンクチップレベルに相当する値を入力する。前者の場合、クランプ回路１０４は、ペデスタルクランプとして動作し、後者の場合、シンクチップクランプとして動作する。
【００２２】
制御部１０７は、フォーマット検知部１０５及びレベル比較器１０６の出力に従ってクランプ回路１０４を制御する。当該制御は、与えられた水平同期信号（Ｈパルス）に基づいて映像信号の水平ブランキング期間ごとに行う。
【００２３】
具体的には、制御部１０７は、レベル比較器１０６の比較結果によって示されたＡ／Ｄ変換器１０２の出力値と基準値との誤差に応じてクランプ回路１０４における各スイッチ１０４２（図２参照）のスイッチング制御をする。当該誤差が大きい場合には、制御部１０７は、より多くのスイッチ１０４２を導通状態にするか又はより大きな電流を供給する可変電流源１０４１に接続されたスイッチ１０４２を導通状態にする。これにより、電源電圧の変動などによるクランプレベルの変動を微調整して、映像信号を精度よくクランプすることができる。
【００２４】
また、制御部１０７は、フォーマット検知部１０５の検知結果によって示された映像信号のフォーマットに応じてクランプ回路１０４における各可変電流源１０４１（図２参照）の電流量を切り替える。具体的には、より高い水平同期周波数のフォーマットのときほど、各可変電流源１０４１の電流量を大きくする。これにより、限られた期間（水平ブランキング期間）内で大電流によってカップリングコンデンサ２００が充放電されるため、１０８０ｐなどの高速映像信号に追従したクランプが可能となる。
【００２５】
以上、本実施形態によると、フルスペックハイビジョン信号などの高速映像信号を精度よくクランプすることができる。これにより、高速映像信号に対して良好な処理結果を得ることができる。
【００２６】
（第２の実施形態）
図３は、第２の実施形態に係る映像信号処理装置の構成を示す。本装置１０は、第１の実施形態に係る映像信号処理装置１０におけるＡ／Ｄ変換器１０２の前段に可変ゲイン増幅器（ＶＧＡ）１０８を追加した構成となっている。可変ゲイン増幅器１０８は、Ａ／Ｄ変換器１０２に入力される映像信号が所定のダイナミックレンジに収まるようにゲイン調整をする。そして、レベル比較器１０６は、可変ゲイン増幅器１０８によって増幅された映像信号と基準値とを比較する。本装置１０もまた１個の半導体チップとして実施可能なものである。以上の本実施形態によっても、高速映像信号を精度よくクランプすることができる。
【００２７】
なお、第１及び第２の実施形態のいずれにおいても、クランプレベルの変動の微調整が不要の場合には、クランプ回路１０４を、１個の可変電流源１０４１及びスイッチ１０４２で構成してもよい。これにより、より小さな回路規模で、高速映像信号に追従可能なクランプを実現することができる。
【産業上の利用可能性】
【００２８】
本発明に係る映像信号処理装置は、高速映像信号を精度よくクランプすることができるため、フルスペックハイビジョン信号を取り扱うテレビジョン受像機や光ディスクレコーダなどに有用である。
【符号の説明】
【００２９】
１０      映像信号処理装置
１０１    映像入力端子
１０２    Ａ／Ｄ変換器
１０４    クランプ回路
１０４１  可変電流源
１０４２  スイッチ
１０５    フォーマット検知部
１０６    レベル比較器
１０７    制御部
１０８    可変ゲイン増幅器
【手続補正３】
【補正対象書類名】図面
【補正対象項目名】全図
【補正方法】変更
【補正の内容】
【図１】
2009037811.tif 000006
【図２】
2009037811.tif 000007
【図３】
2009037811.tif 000008
【国際調査報告】
2009037811.tif 000009
2009037811.tif 000010
2009037811.tif 000011
2009037811.tif 000012